(57)【特許請求の範囲】
【請求項１】
無線部を内蔵する筐体と、
前記筐体に設けられ基地局との通信に用いられる第１アンテナと、
前記筐体に開閉自在に取付けられたフリップと、
前記フリップに設けられ他の電子機器との通信に用いられる第２アンテナと、
前記フリップを閉じたときに接触し、前記無線部から前記第２アンテナへの給電を行なう電気的接触部とを備え、
前記無線部は基板上に設置され、
前記電気的接触部は、前記基板上に設けられた給電パッドと、該給電パッドと前記第２アンテナとを接続する給電ピンとを含み、
前記給電パッド下に前記フリップの開閉を検出する開閉検出用パターンを設けた、携帯情報端末。
【請求項２】
前記給電ピンは、樹脂に金属層を被覆して形成される、請求項１に記載の携帯情報端末。
【請求項３】
前記第２アンテナは、金属を主材料とした平面アンテナを含む、請求項１に記載の携帯情報端末。
【請求項４】
前記第２アンテナは、樹脂に金属層を被覆して形成した平面アンテナを含む、請求項１に記載の携帯情報端末。
【請求項５】
前記第２アンテナは、金属を主材料としたヘリカルアンテナを含む、請求項１に記載の携帯情報端末。
【請求項６】
前記第２アンテナは、樹脂に金属層を被覆して形成した、ヘリカルアンテナまたはメアンダ状アンテナを含む、請求項１に記載の携帯情報端末。
【発明の詳細な説明】
【０００１】
【発明の属する技術分野】
本発明は、携帯電話等の携帯情報端末（携帯無線機）に関する。
【０００２】
【従来の技術】
図９に、従来のbluetooth用アンテナの実装例を示す。携帯情報端末１は、フリップ２と、筐体内に基板５とを備える。bluetooth無線部７は基板５上に配置される場合が多く、bluetooth用アンテナ１１はbluetooth無線部７近傍の基板５上に配置される。
【０００３】
次に従来のアンテナ構成について説明を行う。アンテナとして最も一般的なものはλ/4ヘリカルを内部に配した、大きさが10mm(幅)×2mm(奥行き)×2mm(高さ)程度の表面実装アンテナである。
【０００４】
【発明が解決しようとする課題】
上記アンテナを用いる場合、周囲のグランドによる狭帯域化、アンテナ効率劣化を避けるため、基板５上にはアンテナ底面積より大きい7mm×15mm×2＝210mm2（基板両面）程度の設置エリア１２が必要となる。基板５上の部品配置可能なエリアは100mm×30mm×2=6000mm2（基板両面）であるからアンテナ設置エリア１２だけで3.5%も必要となり携帯情報端末１の小型化にとって大きな障害となる。
【０００５】
この発明は上記の課題を解決するためになされたもので、他の電子機器との通信用のアンテナとフリップとを備えた携帯情報端末を小型化することにある。
【０００６】
【課題を解決するための手段】
本発明に係る携帯情報端末は、無線部を内蔵する筐体と、筐体に設けられ基地局との通信に用いられる第１アンテナと、筐体に開閉自在に取付けられたフリップと、フリップに設けられ他の電子機器との通信に用いられる第２アンテナと、フリップを閉じたときに接触し無線部から第２アンテナへの給電を行なう電気的接触部とを備える。
【０００７】
上記のようにフリップに第２アンテナを設けることにより、第２アンテナ設置に際し基板上に必要なエリアを従来よりも格段に小さくすることができる。
【０００８】
無線部は基板上に設置され、電気的接触部は、基板上に設けられた給電パッドと、該給電パッドと第２アンテナとを接続する給電ピンとを含む。このように基板上に給電パッドを設けるだけでよいので、第２アンテナ設置に際し基板上に必要なエリアを従来よりも格段に小さくすることができる。また、給電パッド下にフリップの開閉を検出する開閉検出用パターンを設ける。
【０００９】
上記給電ピンを、樹脂に金属層を被覆して形成してもよい。それにより、軽量化を図れる。
【００１０】
第２アンテナは、金属を主材料とした平面アンテナであってもよく、樹脂に金属層を被覆した平面アンテナであってもよく、金属を主材料としたヘリカルアンテナであってもよく、樹脂に金属層を被覆したヘリカルアンテナまたはメアンダ状アンテナであってもよい。それにより、第２アンテナを広帯域で高効率のアンテナとすることができる。
【００１１】
【発明の実施の形態】
（実施の形態１）
以下、この発明の実施の形態１について図を用いて説明する。まず、bluetoothの使用例を図８に示す。bluetoothは、ワイヤレス接続を行なうものであり、携帯電話、ノートパソコンその他のモバイル機器間のワイヤレスコミュニケーションを可能とするものである。
【００１２】
他の電子機器であるパソコン（以下「ＰＣ」と称する）１３側にもbluetoothシステムが搭載されており、ＰＣ１３からのデータはＰＣ１３のbluetoothシステムから発信され、携帯電話等の携帯情報端末（携帯無線機）１のbluetoothシステムで受信する。このデータは更に携帯情報端末１から空間へ発信され希望のシステム１４へ伝送される。希望のシステム１４からの受信は上記と逆のルートとなる。
【００１３】
図１に、本発明に係る携帯情報端末１の斜視図を示す。図１に示すように、携帯情報端末１は、筐体と、フリップ２と、基地局との通信用のアンテナ（第１アンテナ）１５と、bluetooth用アンテナ（第２アンテナ）３とを備える。
【００１４】
筐体は、無線部を内蔵し、複数の操作用キーを有する。フリップ２は筐体に開閉自在に取付けられ、フリップ２を閉じた時に操作用キーの少なくとも一部がフリップ２に覆われる。このフリップ２内にbluetooth用アンテナ３を設置する。bluetooth用アンテナ３と電気的に接続される給電ピン４がフリップ２に設けられる。給電ピン４の一端はbluetooth用アンテナ３と接触し、他端はフリップ２の表面に突出している。
【００１５】
図２に、フリップ２を開いた状態の携帯情報端末１の一部切欠き斜視図を示す。
【００１６】
図２に示すように、筐体内に設置された基板５上にbluetooth無線部７が配置され、また基板５上に給電パッド６が設置される。この給電パッド６に、フリップ２を閉じた時に、金属製でありフリップ開閉検知を兼ねた給電ピン４の他端が当接され、給電ピン４と給電パッド６とが電気的に接続される。フリップ２を閉じた時、通常使用者は通話をしていない。
【００１７】
次に、図６を用いて、bluetooth用アンテナ３の給電を行なう電気的接触部の構造例について説明する。
【００１８】
本発明の電気的接触部は、図６に示す給電ピン４と給電パッド６とを含む。フリップ２を閉じることにより、前述のように給電ピン４と給電パッド６とが電気的に接続される。給電ピン４はbluetooth用アンテナ３はと電気的に接続され、給電パッド６はbluetooth無線部７と電気的に接続されているので、フリップ２を閉じることにより、bluetooth用アンテナ３はbluetooth無線部７と電気的に接続される。それにより、bluetooth用アンテナ３の給電を行なえる。
【００１９】
他方、フリップ２を閉じた時に給電ピン４の他端が給電パッド６を押圧し、ドーム状の給電パッド６が図６に示すように変形する。給電パッド６下には開閉検出用パターン１９が形成されており、給電パッド６が上記のように変形することにより給電パッド６が開閉検出用パターン１９と接する。それにより、フリップ２の開閉が検知される。
【００２０】
図７に、フリップ２の開閉検出用回路および給電用回路の一例を示す。図７に示すように、開閉検出部１６と端子（開閉検出用パターン１９）との間に高周波阻止用チョークコイル１７を配置し、bluetooth無線部７と上記端子との間にＤＣカット用コンデンサ１８を配置する。
【００２１】
フリップ２を閉じることにより給電ピン４および給電パッド６を含むスイッチ２０がＯＮ状態となり、それによりフリップ２の開閉が検出されるとともにbluetooth用アンテナ３の給電が行われる。
【００２２】
上述のように本発明によれば、bluetooth用アンテナ３を携帯情報端末１の基板５上に配置するのではなくフリップ２に配置しているので、bluetooth用アンテナ３の設置に際し基板５上に必要な面積が従来よりも格段に小さくなる。
【００２３】
より詳しくは、基板５上にはbluetooth用アンテナ３とbluetooth無線部７とを接続する、大きさが4mm2程度(基板上部品配置可能エリアの0.07%)の給電パッド６を基板５の片面にのみ設置するだけでよくなる。それにより、携帯情報端末１の小型化を達成できる。
【００２４】
（実施の形態２）
本実施の形態２では、樹脂に金属層を被覆して給電ピン４を形成する。金属層の被覆は、たとえば樹脂に金属めっきを施すことにより行なえる。このように樹脂を用いることによって、携帯情報端末１の軽量化が図れる。
【００２５】
（実施の形態３）
本実施の形態３では、図３に示すように、bluetooth用アンテナ３を銅等の金属を主材料とした平面アンテナ８とする。それにより、広帯域で高効率のアンテナとなり、bluetooth無線部７の出力を抑えることができ、使用時間を長くすることができる。
【００２６】
（実施の形態４）
本実施の形態４では、平面アンテナであるbluetooth用アンテナ３をフリップ２自体に金属層を被覆して形成する。金属層の被覆は、たとえばフリップ２に金属めっきを施すことで行なえる。それにより、実施の形態３と同様の効果が得られる上に、軽量化、組み立て性の向上が図れる。
【００２７】
（実施の形態５）
本実施の形態５では、図４に示すように、bluetooth用アンテナ３を銅等の金属を主材料としたヘリカルアンテナ９とする。それにより、広帯域で高効率のアンテナとなり、bluetooth無線部７の出力を抑えることができ、使用時間を長くすることができる。
【００２８】
（実施の形態６）
本実施の形態６では、bluetooth用アンテナ３をフリップ２自体に金属層を被覆して形成したヘリカルアンテナ９または図５に示すメアンダ状アンテナ１０とする。金属層の被覆は、たとえばフリップ２に金属めっきを施すことで行なえる。フリップ２に金属層を被覆してアンテナを形成することにより、実施の形態５と同様の効果が得られる上に、軽量化、組み立て性の向上が図れる。
【００２９】
以上のように本発明の実施の形態について説明を行なったが、今回開示した実施の形態は全ての点で例示であって制限的なものではないと考えられるべきである。本発明の範囲は特許請求の範囲によって示され、特許請求の範囲と均等の意味および範囲内での全ての変更が含まれる。
【００３０】
【発明の効果】
本発明によれば、第２アンテナの設置に際し基板上に必要なエリアを従来よりも格段に小さくできるので、携帯情報端末を小型化することができる。
【図面の簡単な説明】
【図１】  この発明の実施の形態１による携帯情報端末を示す斜視図である。
【図２】  この発明の実施の形態１による携帯情報端末のフリップを開いた状態の一部切欠き斜視図である。
【図３】  この発明の実施の形態３または４によるフリップ内bluetooth用アンテナを示す概略図である。
【図４】  この発明の実施の形態５によるフリップ内bluetooth用アンテナを示す概略図である。
【図５】  この発明の実施の形態６によるフリップ内bluetooth用アンテナを示す概略図である。
【図６】  この発明の電気的接触部の構造例を示す断面図である。
【図７】  この発明のフリップ開閉検出用回路およびbluetooth用アンテナ給電用回路の一例を示す図である。
【図８】  この発明の利用状態の一例を示す概略図である。
【図９】  従来の方式によるbluetooth用アンテナの実装例を示す一部切欠き斜視図である。
【符号の説明】
１  携帯情報端末、２  フリップ、３，１１  bluetooth用アンテナ、４  給電ピン、５  基板、６  給電パッド、７  bluetooth無線部、８  平面アンテナ、９  ヘリカルアンテナ、１０  メアンダアンテナ、１２  設置エリア、１３  パソコン（ＰＣ）、１４  希望のシステム、１５  アンテナ、１６  開閉検出部、１７  高周波阻止用チョークコイル、１８  ＤＣカット用コンデンサ、１９  フリップ開閉検出用パターン、２０  スイッチ。
【図１】
0003711008.tif 000002
【図２】
0003711008.tif 000003
【図３】
0003711008.tif 000004
【図４】
0003711008.tif 000005
【図５】
0003711008.tif 000006
【図６】
0003711008.tif 000007
【図７】
0003711008.tif 000008
【図８】
0003711008.tif 000009
【図９】
0003711008.tif 000010